(57)【要約】      （修正有）【課題】より構成を簡素化したバラスト水処理装置を提供する。【解決手段】バラスト水処理装置１０１は、濾過装置２と、ＵＶランプ１４２を有する紫外線照射装置３と、濾過装置２から紫外線照射装置３に被処理水を供給するための第１の経路２２と、紫外線照射装置３を通過した被処理水をバラストタンク５に供給するための第２の経路２６と、第１の経路に設けられたバルブＷ２と、第２の経路に設けられたバルブＷ５と、制御装置１１１とを有する。制御装置１１１は、ＵＶランプ１４２の点灯が完了するまでは、第１の経路に被処理水を通さず、かつバルブＷ２，Ｗ５を閉状態に保つ。これにより紫外線照射装置３を迂回するための被処理水の経路を不要にすることができる。【選択図】図１
2015009569.tif 000002
【特許請求の範囲】
【請求項１】
被処理水を濾過するためのフィルタを有する濾過装置と、
前記被処理水が通過するように形成されたケースと、前記ケースに収容されて前記被処理水に紫外線を照射する紫外線ランプとを有する紫外線照射装置と、
前記濾過装置から前記紫外線照射装置の前記ケースに前記被処理水を供給するための第１の経路と、
前記紫外線照射装置の前記ケースを通過した前記被処理水をバラストタンクに供給するための第２の経路と、
前記第１の経路に設けられた第１のバルブと、
前記第２の経路に設けられた第２のバルブと、
前記バラストタンクへの前記被処理水の供給に先立って、前記紫外線ランプを点灯させる処理を実行し、前記紫外線ランプの点灯が完了するまでは、前記第１の経路に前記被処理水を通さず、かつ前記第１および第２のバルブを閉状態に保つ制御装置とを備える、バラスト水処理装置。
【請求項２】
前記紫外線照射装置は、前記紫外線ランプの照度を検出するための照度センサを含み、
前記制御装置は、前記照度センサによって検出された前記紫外線ランプの前記照度が最大値に達すると、前記第１および第２のバルブを開状態に設定して、前記濾過装置からの前記被処理水を、前記第１の経路を通じて前記紫外線照射装置の前記ケースに通させる、請求項１に記載のバラスト水処理装置。
【請求項３】
前記バラスト水処理装置は、
前記紫外線照射装置の前記ケースにおいて前記被処理水の入口側に設けられて、当該入口側の水圧を計測する第１の圧力計と、
前記紫外線照射装置の前記ケースにおいて前記被処理水の出口側に設けられて、当該出口側の水圧を計測する第２の圧力計とをさらに備え、
前記制御装置は、前記第１の圧力計によって計測された圧力値および前記第２の圧力計によって計測された圧力値に基づく演算値が、予め規定された正常範囲内にある場合に、前記紫外線ランプを点灯させる、請求項１または２に記載のバラスト水処理装置。
【請求項４】
前記制御装置は、前記バラストタンクへの前記被処理水の供給が終了すると、前記第１および第２のバルブを前記閉状態に保った状態で前記紫外線ランプを消灯する、請求項３に記載のバラスト水処理装置。
【請求項５】
前記紫外線ランプの消灯時に、前記濾過装置は、前記濾過装置に導入される被処理水を用いて前記フィルタを洗浄する、請求項４に記載のバラスト水処理装置。
【請求項６】
前記紫外線ランプの点灯時に、前記濾過装置は、前記濾過装置に導入される被処理水を用いて前記フィルタを洗浄する、請求項５に記載のバラスト水処理装置。
【請求項７】
前記バラスト水処理装置は、
前記被処理水による前記フィルタの洗浄後に、前記フィルタを洗浄するための洗浄水を前記第１の経路を通じて前記濾過装置に供給する逆洗浄装置をさらに備える、請求項５に記載のバラスト水処理装置。
【請求項８】
前記バラスト水処理装置は、
前記バラストタンクに貯留した被処理水を前記紫外線照射装置に供給する第３の経路と、
前記第３の経路に設けられる第３のバルブとをさらに備え、
前記制御装置は、前記バラストタンクから前記紫外線照射装置への前記被処理水の供給に先立って、前記第２および第３のバルブを閉状態に保った状態で前記紫外線ランプを点灯させる、請求項１から７のいずれか１項に記載のバラスト水処理装置。
【請求項９】
前記制御装置は、
前記バラストタンクから前記紫外線照射装置への前記被処理水の供給開始時に、前記紫外線照射装置の前記ケースを通過する前記被処理水の流量が第１の流量となるように前記第２および第３のバルブを開き、次に、前記ケースを通過する前記被処理水の流量が、前記第１の流量よりも大きい第２の流量となるように前記第２および第３のバルブを制御する、請求項８に記載のバラスト水処理装置。
【請求項１０】
前記制御装置は、前記バラストタンクから前記紫外線照射装置への前記被処理水の供給を終了させるときには、前記紫外線照射装置の前記ケースを通過する前記被処理水の流量が低下するように前記第２および第３のバルブを制御して、次に前記第２および第３のバルブを閉じる、請求項８または９に記載のバラスト水処理装置。
【発明の詳細な説明】
【技術分野】
【０００１】
本発明は、船舶に貯留されるバラスト水を処理するための装置に関する。
【背景技術】
【０００２】
バラスト水は、空荷状態の船舶が海洋を安全に航行するために船舶に積載される海水である。バラスト水は、船舶の出港時に、その船舶の周囲の海域から取水されて船舶に積み込まれる。一方、バラスト水は、その船舶の寄港地において船外に排出される。
【０００３】
バラスト水は、当該バラスト水が取水された海域と異なる海域に排出される。バラスト水中の生物は、本来の生息地ではない海域に移動させられる。このためバラスト水中の生物が、そのバラスト水の排出される海域の生態系に影響を及ぼすという問題が生じる。
【０００４】
この問題を解決するために、バラスト水を浄化処理する種々の方法が検討されている。たとえば特開２０１３−２３１８７号公報（特許文献１）は、バラスト水の無害化処理を確実にかつ効率よく行なうことを目的としたバラスト水処理装置を開示する。この処理装置は、フィルタと、紫外線照射ユニットとを備える。バラスト水処理ラインに通された被処理水は、まずフィルタを通される。次に被処理水は、紫外線照射ユニットを通る。被処理水が紫外線照射ユニットを通る際に、被処理水に紫外線が照射される。これにより被処理水が殺菌される。
【０００５】
紫外線ランプの立上げ時には、紫外線ランプの照度がすぐには目標の照度に達しない。さらに、海域から海水の汲み上げを開始した直後においては、その海水の濁度が高い可能性がある。これらの場合には、海水への紫外線の照射量が十分でない可能性が考えられる。
【０００６】
特開２０１３−２３１８７号公報に開示された方法によれば、紫外線ランプの照度が目標の照度に達するまでは、被処理水は、紫外線照射ユニットを迂回する経路を通される。そして、紫外線ランプの点灯が開始されると被処理水は紫外線照射ユニットを通される。紫外線ランプの照度が所定照度に達すると、被処理水は、バラストタンクへ注水される。
【先行技術文献】
【特許文献】
【０００７】
【特許文献１】特開２０１３−２３１８７号公報
【発明の概要】
【発明が解決しようとする課題】
【０００８】
特開２０１３−２３１８７号公報に開示された方法を実現するためには、紫外線照射ユニットを迂回して被処理水を通すための経路が必要となる。このためにバラスト水処理装置の構成が複雑化する。
【０００９】
本発明の目的は、より構成を簡素化したバラスト水処理装置を提供することである。
【課題を解決するための手段】
【００１０】
本発明のある局面に従うバラスト水処理装置は、被処理水を濾過するためのフィルタを有する濾過装置と、被処理水が通過するように形成されたケースと、ケースに収容されて被処理水に紫外線を照射する紫外線ランプとを有する紫外線照射装置と、濾過装置から紫外線照射装置のケースに被処理水を供給するための第１の経路と、紫外線照射装置のケースを通過した被処理水をバラストタンクに供給するための第２の経路と、第１の経路に設けられた第１のバルブと、第２の経路に設けられた第２のバルブと、バラストタンクへの被処理水の供給に先立って、紫外線ランプを点灯させる処理を実行し、紫外線ランプの点灯が完了するまでは、第１の経路に被処理水を通さず、かつ第１および第２のバルブを閉状態に保つ制御装置とを備える。
【００１１】
この構成によれば、バラストタンクへの被処理水の供給に先立って、紫外線ランプが点灯される。紫外線ランプの点灯が完了するまでは、第１および第２のバルブが閉じられているので、被処理水は紫外線照射装置を通されない。これにより、紫外線ランプの照度が被処理水の殺滅処理にとって十分でない状態で被処理水が紫外線照射装置を通ることが防がれる。さらに、紫外線ランプの点灯が完了するまでは、第１の経路に被処理水が通されないので、紫外線照射装置を迂回して被処理水を通す経路を形成する必要がない。したがってバラスト水処理装置の構成をより簡素にすることができる。
【００１２】
好ましくは、紫外線照射装置は、紫外線ランプの照度を検出するための照度センサを含む。制御装置は、照度センサによって検出された紫外線ランプの照度が最大値に達すると、第１および第２のバルブを開状態に設定して、濾過装置からの被処理水を、第１の経路を通じて紫外線照射装置のケースに通させる。
【００１３】
この構成によれば、紫外線ランプの照度が最大値に達すると、被処理水が紫外線照射装置のケースに通される。したがって、被処理水の殺滅処理を効果的に実行することができる。
【００１４】
好ましくは、バラスト水処理装置は、紫外線照射装置のケースにおいて被処理水の入口側に設けられて、当該入口側の水圧を計測する第１の圧力計と、紫外線照射装置のケースにおいて被処理水の出口側に設けられて、当該出口側の水圧を計測する第２の圧力計とをさらに備える。制御装置は、第１の圧力計によって計測された圧力値および第２の圧力計によって計測された圧力値に基づく演算値が、予め規定された正常範囲内にある場合に、紫外線ランプを点灯させる。
【００１５】
この構成によれば、紫外線ランプの点灯処理の際に紫外線ランプが過熱するのを防ぐことができる。第１の圧力計および第２の圧力計によって計測された圧力値に基づく演算値が予め規定された正常範囲内にあるということは、ケースの中に水が十分に入っていることを示している。紫外線ランプの点灯処理の際に紫外線ランプが発熱しても、その熱がケースの内部に蓄えられた水に奪われる。したがって紫外線ランプの過熱を防止できる。
【００１６】
好ましくは、制御装置は、バラストタンクへの被処理水の供給が終了すると、第１および第２のバルブを閉状態に保った状態で紫外線ランプを消灯する。
【００１７】
この構成によれば、紫外線ランプの点灯時と同じく、紫外線照射装置を迂回して被処理水を通す経路を形成する必要がない。したがってバラスト水処理装置の構成をより簡素にすることができる。
【００１８】
好ましくは、紫外線ランプの消灯時に、濾過装置は、濾過装置に導入される被処理水を用いてフィルタを洗浄する。
【００１９】
この構成によれば、紫外線ランプの消灯時に、濾過装置のフィルタが洗浄される。これによりフィルタに濁質が付着したままになることを回避することができる。
【００２０】
好ましくは、紫外線ランプの点灯時に、濾過装置は、濾過装置に導入される被処理水を用いてフィルタを洗浄する。
【００２１】
この構成によれば、紫外線ランプが点灯される間に濾過装置のフィルタが洗浄される。紫外線ランプの点灯処理と濾過装置のフィルタの洗浄とが連続して行なわれる場合に比べて、バラスト水処理装置の立上げに要する時間を短縮することができる。
【００２２】
好ましくは、バラスト水処理装置は、被処理水によるフィルタの洗浄後に、フィルタを洗浄するための洗浄水を第１の経路を通じて濾過装置に供給する逆洗浄装置をさらに備える。
【００２３】
この構成によれば、フィルタに付着した濁質分をフィルタから取り除く効果がより高められる。
【００２４】
好ましくは、バラスト水処理装置は、バラストタンクに貯留した被処理水を紫外線照射装置に供給する第３の経路と、第３の経路に設けられる第３のバルブとをさらに備える。制御装置は、バラストタンクから紫外線照射装置への被処理水の供給に先立って、第２および第３のバルブを閉状態に保った状態で紫外線ランプを点灯させる。
【００２５】
この構成によれば、バラストタンクから被処理水を取出して紫外線照射装置に供給するのに先立って紫外線ランプが点灯される。バラストタンクへの被処理水の供給時と同様に、紫外線照射装置を迂回して被処理水を通す経路を形成する必要がない。したがってバラスト水処理装置の構成をより簡素にすることができる。
【００２６】
好ましくは、制御装置は、バラストタンクから紫外線照射装置への被処理水の供給開始時に、紫外線照射装置のケースを通過する被処理水の流量が第１の流量となるように第２および第３のバルブを開き、次に、ケースを通過する処理水の流量が、第１の流量よりも大きい第２の流量となるように第２および第３のバルブを制御する。
【００２７】
このような構成によれば、被処理水の流量が急激に変化することを防止することができる。紫外線照射装置のケースの内部には、紫外線ランプが収められている。被処理水の流量が急激に変化した場合には、ウォーターハンマーによって紫外線ランプが損傷する可能性が考えられる。被処理水の流量が急激に変化することを防ぐことで、紫外線ランプが損傷する可能性を小さくすることができる。
【００２８】
好ましくは、制御装置は、バラストタンクから紫外線照射装置への被処理水の供給を終了させるときには、紫外線照射装置のケースを通過する被処理水の流量が低下するように第２および第３のバルブを制御して、次に第２および第３のバルブを閉じる。
【００２９】
このような構成によれば、被処理水の流量が急激に変化する（流量が不連続的に０に達する）ことを防止することができる。流量が不連続的に０に達した場合には、上述のウォーターハンマーの問題が生じうる。被処理水の流量が急激に変化することを防ぐことで、紫外線ランプが損傷する可能性を小さくすることができる。
【発明の効果】
【００３０】
本発明によれば、より構成を簡素化したバラスト水処理装置を実現することができる。
【図面の簡単な説明】
【００３１】
【図１】本発明の実施の形態に係るバラスト水管理システムの全体図である。
【図２】バラスト水処理装置本体側の制御盤の１つの構成例を概略的に示した図である。
【図３】図１に示した濾過装置の構成例を説明する図である。
【図４】図３のＩＶ−ＩＶ線に沿った断面図である。
【図５】図３に示されたフィルタの代表的な構成を説明する斜視模式図である。
【図６】図１に示した紫外線照射装置の構成例を示した図である。
【図７】ローカルおよびリモートを選択するセレクトスイッチを操作した場合におけるバラスト水管理システムの状態を説明するための第１の図である。
【図８】ローカルおよびリモートを選択するセレクトスイッチを操作した場合におけるバラスト水管理システムの状態を説明するための第２の図である。
【図９】図８に示された制御の流れを示したフローチャートである。
【図１０】バラスト水処理装置の動作の流れを説明するためのフローチャートである。
【図１１】本発明の実施の形態に係る、バラスト水の取水時の処理を説明するフローチャートである。
【図１２】図１１のステップＳ１０１〜Ｓ１０３の処理を説明するための図である。
【図１３】図１１のステップＳ１０４の処理を説明するための図である。
【図１４】図１１のステップＳ１０５の処理を説明するための図である。
【図１５】図１１のステップＳ１０６の処理（逆洗浄）を説明するための第１の図である。
【図１６】図１１のステップＳ１０６の処理（逆洗浄）を説明するための第２の図である。
【図１７】図１１のステップＳ１０６の処理（逆洗浄）を説明するための第３の図である。
【図１８】本発明の実施の形態に係る、バラスト水の排水時の処理を説明するフローチャートである。
【図１９】図１８のステップＳ２０２〜Ｓ２０４の処理を説明するための図である。
【図２０】バラストポンプの別の起動方法を説明するための模式的なブロック図である。
【図２１】バイパスモードでのバラスト水の取水を説明するための図である。
【図２２】バイパスモードでのバラスト水の排水を説明するための図である。
【発明を実施するための形態】
【００３２】
以下、本発明の実施の形態について、図面を参照しながら詳細に説明する。なお、図中同一または相当部分には同一符号を付してその説明は繰り返さない。
【００３３】
また、この実施の形態において、「バラスト水」とは、バラストタンクに貯留される海水を意味する。したがってこの明細書では、バラスト水が海水であることを明示するために「バラスト水（海水）」と表記することがある。
【００３４】
また、この実施の形態において、「被処理水」とは、本実施の形態に係るバラスト水処理装置によって処理される海水を意味する。以下に説明するように、この実施の形態では、「被処理水」は、海域からバラスト水処理装置に取り込まれた海水だけでなく、「バラスト水」も含む。また、バラスト水および被処理水を特に区別する必要がない場合には「海水」との用語を用いることがある。
【００３５】
＜バラスト水管理システムの構成＞
図１は、本発明の実施の形態に係るバラスト水管理システムの全体図である。図１を参照して、本発明の実施の形態に係るバラスト水管理システム１００は、図示しない船舶に設置される。バラスト水管理システム１００は、船舶の出港時に、その船舶の周囲の海域から海水を取水して、その海水をバラスト水としてバラストタンク５に貯留する。一方、バラスト水管理システム１００は、その船舶の寄港地において、バラストタンク５に貯留されたバラスト水を船外の海域に排出する。バラストタンク５は複数の区画に分けられていてもよい。
【００３６】
バラスト水管理システム１００は、バラスト水処理装置１０１と、バイパスシステム１０２と、制御装置１１１，１１２とを備える。バラスト水処理装置１０１は、船舶の周囲の海域から海水を取水する際に、その海水を浄化する処理を行なう。さらにバラスト水処理装置１０１は、バラストタンク５からバラスト水（海水）を排出する際に、バラストタンクに貯留されたバラスト水を浄化する処理を行なうことができる。この実施の形態において「浄化」とは、海水に含まれる微生物の除去、殺滅および不活性化を含む。
【００３７】
一方、バイパスシステム１０２は、船舶の周囲の海域から海水を取水する際に、バラスト水処理装置１０１を迂回して、その取水した海水をバラストタンク５に積み込むことができる。さらに、バイパスシステム１０２は、バラストタンク５からバラスト水（海水）を排出する際に、バラスト水処理装置１０１を迂回して、そのバラスト水を海に排出することができる。すなわち、バイパスシステム１０２は、バラスト水処理装置１０１を迂回してバラストタンク５に対してバラスト水を出し入れするための経路を形成する。バイパスシステム１０２によって、バラスト水処理装置１０１によって海水を処理することが必要とされない場合、あるいは、バラスト水処理装置１０１によって海水を処理することができない場合などにおいても、バラストタンク５に対して海水を出し入れすることができる。
【００３８】
バラスト水処理装置１０１と、バイパスシステム１０２とは、一部の要素を共通に有していてもよい。船舶がバイパスシステム１０２を既に搭載している場合には、バラスト水処理装置１０１を追加することによって、本発明の実施の形態に係るバラスト水管理システム１００を実現することができる。したがって既存の設備を大幅に変更することなく本発明の実施の形態に係るバラスト水管理システム１００を船舶に設置することができる。
【００３９】
バラスト水処理装置１０１は、濾過装置２と、逆洗浄装置２Ａと、紫外線照射装置３と、海水を通すためのライン２０〜２７と、バルブＷ１〜Ｗ７と、流量計ＦＭ１，ＦＭ２と、圧力計Ｐ１〜Ｐ４とを備える。
【００４０】
バイパスシステム１０２は、シーチェスト１と、バラストポンプＢＰと、ライン１１〜１６と、バルブＷ８，４１〜４４と、バラストタンク５と、オーバーボード６とを備える。
【００４１】
上記の各ラインは配管によって実現される。バルブＷ１〜Ｗ８は、たとえば比例制御弁によって実現される。バルブＷ１〜Ｗ８の開度は、そのバルブに入力される信号によって制御される。一方、バルブ４１〜４４は、たとえば開閉弁によって実現される。バルブ４１〜４４の各々に入力される信号に応じて、各バルブは、その状態を開状態と閉状態との間で切り換える。
【００４２】
シーチェスト１は、たとえば船舶の船底から海水を取水するために船舶に設けられる。シーチェスト１にはライン１０が繋がっている。ライン１１は、バラストポンプＢＰに流入する海水を通すためのラインである。ライン１２は、バラストポンプＢＰから流出する海水を通すためのラインである。
【００４３】
バルブ４１は開状態と閉状態との間で切換わる。バルブ４１の開状態において、バラストポンプＢＰは、シーチェスト１およびライン１０，１１を介して海水を吸入して、ライン１２に海水を排出する。一方、後に詳細に説明するように、バルブ４１の閉状態において、バラストポンプＢＰは、バラスト水管理システム１００の内部において海水を循環させる。
【００４４】
ライン１２は、ライン１３とライン２０とに分岐される。バイパスシステム１０２の使用時においては、ライン１３に海水が送られる。一方、バラスト水処理装置１０１の使用時においては、ライン２０に海水が送られる。バルブＷ８が開き、かつバルブＷ１，Ｗ４が閉じている場合には、海水は、ライン１２からライン１３へと送られる。一方、バルブＷ８，Ｗ４が閉じており、かつバルブＷ１が開いている場合には、海水は、ライン１２からライン２０へと送られ、次にライン２１へと送られる。なお、バルブＷ８，Ｗ１が閉じており、かつバルブＷ４が開いている場合には、海水は、ライン１２からライン２０へと送られ、次にライン２７へと送られる。
【００４５】
次に、バラスト水処理装置１０１について説明する。ライン２０およびライン２１を流れる海水は、被処理水として濾過装置２に導入される。
【００４６】
濾過装置２は、フィルタ６１と、モータ９０とを含む。フィルタ６１は、ライン２１を通じて流入した海水を濾過する。フィルタ６１によって濾過された海水は、ライン２２を通じて濾過装置２から流出される。モータ９０は、海水を濾過する際、および、フィルタ６１を洗浄する際に、フィルタ６１を回転させる。
【００４７】
圧力計Ｐ１は、濾過装置２の入口側における海水の圧力を計測する。一方、圧力計Ｐ２は、濾過装置２の出口側における海水の圧力を計測する。
【００４８】
ライン２２は、濾過装置２によって濾過された海水を紫外線照射装置３に供給するための第１の経路を形成する。ライン２２には、バルブＷ２が設けられる。
【００４９】
一方、濾過装置２によって濾過されなかった海水は、ライン２３を通じて濾過装置２から排出される。ライン２３はライン２４，２５に分岐される。
【００５０】
ライン２４は、オーバーボード６に繋がっている。ライン２４を通る海水はオーバーボード６を介して海へと排出される。ライン２５は、ライン２４と合流する。したがって、ライン２３〜２５は、濾過装置２に残留する海水を排出するための排水経路を形成する。
【００５１】
流量計ＦＭ２は、ライン２３を流れる海水の流量を計測する。バルブＷ３は、ライン２４を流れる海水の流量を制御する。バルブＷ７は、ライン２５を流れる海水の流量を制御する。
【００５２】
紫外線照射装置３は、ＵＶ（紫外線）ランプ１４２を含む。ライン２２を流れる海水は紫外線照射装置３を通される。ＵＶランプ１４２は、紫外線照射装置３を通る海水に紫外線を照射する。被処理水は、フィルタ６１で濾過された上で、紫外線照射装置３において紫外線を受ける。このために小型のＵＶランプを使用しても、濾過された海水中に生息する微生物を殺滅する効果を得ることができる。小型のＵＶランプを紫外線照射装置３に用いることによって、装置の小型化、消費電流の節約等の利点を得ることができる。
【００５３】
ライン２６は、紫外線照射装置３から流出する海水を通すためのラインである。ライン２６は、ライン１３に合流する。ライン２６は、紫外線照射装置３のケースを通過した被処理水をバラストタンク５に供給するための第２の経路を形成する。
【００５４】
バルブＷ５は、ライン２６に設けられる。バルブＷ５が開いている場合には、海水は、ライン２６からライン１３へと送られる。したがって紫外線照射装置３を海水が通過する。
【００５５】
圧力計Ｐ３，Ｐ４は、それぞれ、ライン２２およびライン２６に設けられる。圧力計Ｐ３は、紫外線照射装置３の入口側における水圧を計測する。圧力計Ｐ４は、紫外線照射装置３の出口側における水圧を計測する。
【００５６】
ライン２７は、濾過装置２を迂回してライン２２に合流する経路を形成する。バラストタンク５に貯留した被処理水を排出する際に、ライン２７は、バラストタンク５からの被処理水を、濾過装置２を迂回して紫外線照射装置３に供給する第３の経路を実現する。上記のように、バルブＷ１が閉じており、かつバルブＷ４が開いている場合に、海水はライン２０からライン２７を経由してライン２２へと送られる。
【００５７】
逆洗浄装置２Ａは、洗浄水タンク６８と、バルブＷ６，Ｗ９〜Ｗ１１と、ライン２８〜３１とを含む。
【００５８】
ライン２８は、圧縮空気供給部３２と洗浄水タンク６８とに繋がっている。ライン２８にはバルブＷ９および圧力計ＰＳが設けられる。バルブＷ９が開状態となることで、ライン２８は圧縮空気を洗浄水タンク６８に導入する。
【００５９】
ライン２９は、洗浄水タンク６８から空気を抜くためのラインである。ライン２９には圧力開放のためのバルブＷ１１が設けられる。洗浄水タンク６８から空気を抜く際には、バルブＷ１１が開状態とされる。
【００６０】
ライン３０は、清水供給部３３から洗浄水タンク６８に清水を供給するためのラインである。ライン３０にはバルブＷ１０が設けられる。清水供給部３３から洗浄水タンク６８に清水を供給する際には、バルブＷ１０が開状態とされる。
【００６１】
ライン３１は、ライン２２における濾過装置２とバルブＷ２との間の位置から分岐する。ライン３１にはバルブＷ６が設けられる。洗浄水タンク６８から濾過装置２に洗浄水を供給する際には、バルブＷ６が開状態とされる。一方、濾過装置２のフィルタ６１によって海水が濾過されるときには、バルブＷ６が閉状態とされる。
【００６２】
次に、バイパスシステム１０２について説明する。ライン１３は、ライン１４とライン１５とに分岐する。ライン１４は、バラストタンク５に繋がっている。ライン１４には、バルブ４２が設けられている。
【００６３】
ライン１５は、オーバーボード６に繋がっている。ライン１５には、バルブ４３が設けられている。
【００６４】
ライン１６は、ライン１４とライン１１とを繋ぐ。ライン１６には、バルブ４４が設けられている。
【００６５】
バルブ４２を開状態として、バルブ４３，４４を閉状態とする。これにより、ライン１３を通じてライン１４に送られた海水は、バラストタンク５に供給される。バルブ４２を閉状態としてバルブ４３を開状態とした場合には、海水はライン１３からライン１５およびオーバーボード６へと送られて、海に排出される。バルブ４２，４４を開状態としてバルブ４３を閉状態とした場合には、海水はライン１１、ライン１２、ライン１３、ライン１４およびライン１６を通り、バイパスシステム１０２の内部を循環する。
【００６６】
バラスト水管理システム１００は、さらに、制御装置１１１，１１２を備える。制御装置１１１，１１２は、操作者（図示せず）によって操作可能である。操作者による制御装置の操作は、その制御装置に対して操作者の指示を入力することに相当する。
【００６７】
制御装置１１１，１１２は、操作者からの指示を受け付けて、その指示に従ってバラスト水管理システム１００を制御する。すなわち制御装置１１１，１１２は、バラスト水管理システム１００の動作モードを設定するための設定装置でもある。具体的には、制御装置１１１，１１２は、バラストポンプＢＰの駆動および停止を制御する。さらに制御装置１１１，１１２は、図１に示された各バルブの開／閉あるいは開度を制御する。さらに、制御装置１１１，１１２は、紫外線照射装置３に含まれるＵＶランプ１４２の点灯および消灯を制御する。
【００６８】
制御装置１１１，１１２は、通信機能を有する。制御装置１１１は、自身に対する設定を把握するとともに、その設定に関する情報を制御装置１１２に送信することができる。同様に、制御装置１１２は、自身に対する設定を把握するとともに、その設定に関する情報を制御装置１１１に把握することができる。したがって制御装置１１１，１１２を互いに離れた場所に設置することができる。
【００６９】
たとえば制御装置１１１は、バラスト水処理装置１０１のそばに設置される。一方、制御装置１１２は、たとえばブリッジ（船橋）に設置される。このような制御装置１１１，１１２の配置に従うと、操作者は、制御装置１１２によってバラスト水処理装置１０１およびバイパスシステム１０２を遠隔制御することができる。
【００７０】
操作者は、制御装置１１１，１１２のいずれか一方を操作することによって、バラスト水管理システム１００の動作および停止を制御することができる。さらに、操作者は、制御装置１１１，１１２のいずれか一方を操作することによって、バラスト水管理システム１００の動作モードを、バラスト水処理モード（この実施の形態では「ＢＷＭＳ」モードと呼ぶ）と、「ＢＹＰＡＳＳ」（バイパス）モードとの間で切り換えることができる。バラスト水処理モードとは、バラスト水処理装置１０１を動作させるモードである。バイパスモードとは、バラスト水処理装置１０１を停止させる一方で、バイパスシステム１０２を動作させるモードである。
【００７１】
さらに、操作者は、制御装置１１１，１１２のいずれか一方を操作することによって、ＢＷＭＳモードあるいはＢＹＰＡＳＳモードにおけるバラスト水管理システム１００の処理を切り換えることができる。この実施の形態では、処理モードは、「マニュアルモード」と、「Ｂａｌｌａｓｔｉｎｇモード」と、「Ｄｅ−Ｂａｌｌａｓｔｉｎｇモード」とを含む。
【００７２】
「マニュアルモード」とは、操作者が制御装置１１１，１１２のいずれかに対して特定のバルブを指定するとともに、そのバルブの開／閉あるいは開度を指定するモードである。「Ｂａｌｌａｓｔｉｎｇモード」は、バラスト水管理システム１００が海から海水を取り込んでバラストタンク５に注入する処理を行なうモードである。「Ｄｅ−Ｂａｌｌａｓｔｉｎｇモード」は、バラスト水管理システム１００がバラストタンク５に貯留するバラスト水（海水）を海に排出する処理を行なうモードである。
【００７３】
「Ｂａｌｌａｓｔｉｎｇモード」および「Ｄｅ−Ｂａｌｌａｓｔｉｎｇモード」では、各バルブは、制御装置１１１または１１２によって自動的に制御される。
【００７４】
なお、この実施の形態では、バラスト水管理システム１００は、動作モードがＢＷＭＳモードおよびＢＹＰＡＳＳモードのいずれであっても、「Ｂａｌｌａｓｔｉｎｇモード」および「Ｄｅ−Ｂａｌｌａｓｔｉｎｇモード」での処理を実現可能なように構成される。ただし、バラスト水管理システム１００は、動作モードがＢＷＭＳモードである場合にのみ「Ｂａｌｌａｓｔｉｎｇモード」および「Ｄｅ−Ｂａｌｌａｓｔｉｎｇモード」での処理を実現可能であってもよい。
【００７５】
１つの実施形態では、制御装置１１１，１１２は制御盤として実現される。図２は、バラスト水処理装置本体側の制御盤の１つの構成例を概略的に示した図である。図２を参照して、制御装置１１１（制御盤）は、ランプ群１２０と、プッシュボタン１２２，１２６〜１３０と、セレクトスイッチ１２３〜１２５とを有する。
【００７６】
セレクトスイッチ１２３は、バラスト水処理装置１０１を制御装置１１１（ローカル）で制御するか、または、制御装置１１２（リモート）で制御するかを切換えるためのスイッチである。セレクトスイッチ１２３によって「ローカル（Ｌｏｃaｌ）」が選択された場合、制御装置１１１のプッシュボタンあるいはセレクトスイッチによって、バラスト水処理装置１０１の動作および停止を制御することができる。一方、制御装置１１２からの指令は無効となる。一方でセレクトスイッチ１２３によって「リモート（Ｒｅｍｏｔｅ）」が選択された場合、制御装置１１１のプッシュボタンあるいはセレクトスイッチの操作は無効となり、制御装置１１２からの指令が有効となる。
【００７７】
制御装置１１２からの指令は、制御装置１１１を経由してバラスト水処理装置１０１に送られる。制御装置１１１は、セレクトスイッチ１２３の設定に基づいて、制御装置１１２からの指令を有効にするか無効にするかを判断する。
【００７８】
セレクトスイッチ１２４は、操作者がバラスト水管理システム１００の動作モードを制御装置１１１に指示するためのスイッチである。具体的には、セレクトスイッチ１２４は、バラスト水管理システム１００の動作モードを、バイパスモードと、ＢＷＭＳモードと、マニュアル（Ｍａｎｕａｌ）モードとの間で切り換えることができるように構成される。
【００７９】
セレクトスイッチ１２５は、ＢＷＭＳモードが選択された場合に、操作者がバラスト水処理装置１０１の処理モードを制御装置１１１に指示するためのスイッチである。具体的には、セレクトスイッチ１２５は、バラスト水処理装置１０１の処理モードを、Ｂａｌｌａｓｔｉｎｇモードと、Ｄｅ−Ｂａｌｌａｓｔｉｎｇモードとの間で切り換えることができるように構成される。
【００８０】
プッシュボタン１２２は、ＢａｌｌａｓｔｉｎｇモードまたはＤｅ−Ｂａｌｌａｓｔｉｎｇモードでバラスト水処理装置１０１を動作させるためのボタンである。一方、プッシュボタン１２６は、ＢａｌｌａｓｔｉｎｇモードまたはＤｅ−Ｂａｌｌａｓｔｉｎｇモードでのバラスト水処理装置１０１の動作を停止させるためのボタンである。操作者がプッシュボタン１２２を押すことによって、制御装置１１１は、海水を浄化する処理の開始の指示を受け付ける。操作者がプッシュボタン１２６を押すことによって、制御装置１１１は、海水を浄化する処理の停止の指示を受け付ける。
【００８１】
プッシュボタン１２７〜１２９は、それぞれ、ブザーを停止させるためのボタン、アラームをリセットするためのボタン、ランプをチェックするためのボタンである。プッシュボタン１３０は、バラスト水処理装置１０１を非常停止させるためのボタンである。
【００８２】
ランプ群１２０は、バラスト水管理システム１００の状態を示すための複数のランプによって構成される。バラスト水処理装置１０１が海水を処理可能な状態になると、ランプ１２０ａが点灯する。また、プッシュボタン１２２が押されるとランプ１２０ｂが点灯する。
【００８３】
Ｂａｌｌａｓｔｉｎｇモードでバラスト水処理装置１０１が動作する場合、ランプ１２０ｃが点灯する。一方、Ｄｅ−Ｂａｌｌａｓｔｉｎｇモードでバラスト水処理装置１０１が動作する場合、ランプ１２０ｄが点灯する。また、バラスト水処理装置１０１の非常停止時には、ランプ１２０ｅが点灯する。なお、ランプの個数、配置および役割は上記のように限定されるものではない。
【００８４】
また、制御装置１１２は、たとえば図２に示す構成と同様の構成を採用することができる。制御装置１１１，１１２の一方の故障時に他方によってバラスト水管理システム１００を制御することができる。すなわち制御装置が二重化される。したがって、バラスト水管理システム１００の信頼性を高めることができる。あるいは制御装置１１２は、図２に示す構成からセレクトスイッチ１２３を省略した構成を有してもよい。このような構成によって、制御装置１１２からの指令を有効とするか無効とするかを制御装置１１１において一元的に制御することができる。
【００８５】
なお、図２には示されていないが、制御装置１１１，１１２の一方または両方は表示パネルを備えることができる。さらにその表示パネルは、タッチパネルの機能を有していてもよい。
【００８６】
図３は、図１に示した濾過装置２の構成例を説明する図である。図４は、図３のＩＶ−ＩＶ線に沿った断面図である。
【００８７】
図３および図４を参照して、被処理水である海水は、図１のライン２１に対応する被処理水流路６６を通り、ケース６３の内部へ供給される。ケース６３の内部には、円筒形状のフィルタ６１が設けられている。軸線Ｃはフィルタ６１（円筒）の中心軸を示す。言い換えると、フィルタ６１は、軸線Ｃを囲むように配置されている。
【００８８】
モータ９０は、フィルタ６１の中心軸と接続される。モータ９０は、駆動装置（図示せず）から電力が供給されることによって、軸線Ｃを中心としてフィルタ６１を回転させる。モータ９０は、モータカバー９１で覆われている。なお、モータ９０は、たとえば図１に示す制御装置１１１によって制御される。
【００８９】
フィルタ６１の円筒上下面は水密に塞がれている。回転自在な取り付け構造は、同じく水密構造とする必要があるが、特に限定されることなく既知の構造が用いられる。
【００９０】
ケース６３は、フィルタ６１の全体を覆う。ケース６３は、外筒部７１と、蓋部７２と、底部７３とを有する。底部７３には、図１のライン２３に対応する排出流路６５が設けられる。ケース６３の内部には、被処理水としての海水を導入するために、被処理水流路６６と、被処理水ノズル６２とが設けられる。また、ケース６３の蓋部には、薬液注入口７０が設けられている。ただしケース６３に薬液注入口を設けることは必須ではない。
【００９１】
被処理水ノズル６２は、被処理水流路６６から延設されるように構成される。被処理水ノズル６２の先端にノズル口６７が形成される。ノズル口６７は、ケース６３の外筒部７１の中に配置される。被処理水がノズル口６７からフィルタ６１の外周面に向けて流出するように、ノズル口６７が形成される。
【００９２】
中心配管８０は、軸線Ｃ上に配置される。中心配管８０は、図１のライン１５に相当する濾過水流路６４に接続される。なお、中心配管８０は回転しない。
【００９３】
図５は、図３に示されたフィルタ６１の代表的な構成を説明する斜視模式図である。図４および図５を参照して、フィルタ６１はプリーツフィルタである。平面帯状の基材を山谷交互に折りたたむことによって、いわゆるプリーツ形状が形成される。プリーツ状に形成された基材の両端をつなぎ合わせることで、円筒状のプリーツフィルタが形成される。
【００９４】
フィルタの基材には多孔質樹脂シートが用いられる。多孔質樹脂シートの材質として例えば、ポリエステル、ナイロン、ポリエチレン、ポリプロピレン、ポリウレタン、ポリテトラフルオロエチレン（ＰＴＦＥ）、ポリフッ化ビニリデン（ＰＶｄＦ）等からなる延伸多孔質体、相分離多孔体、不織布等の多孔質構造物が利用される。高流量での濾過処理を行なうために、ポリエチレンテレフタレートなどのポリエステルからなる不織布が特に好適に用いられる。
【００９５】
再び図３を参照して、被処理水は被処理水流路６６を通り、被処理水ノズル６２のノズル口６７から噴出する。ノズル口６７から噴出した被処理水は、フィルタ６１の円筒外部から円筒内部へと透過される。これによって被処理水が濾過される。フィルタ６１を透過して濾過された被処理水は、中心配管８０に設けられた取水穴８１を通して濾過水流路６４に導かれて、濾過装置２の外部に流出される。
【００９６】
一方、フィルタ６１によって濾過されなかった被処理水および、ケース６３の底部７３に沈殿した濁質分は、排出流路６５を通じて濾過装置２の外部に排出される。このように濁質分、あるいは残った被処理水が連続的に排出されつつ濾過が行われる。これにより、バラスト水の処理量として要求される処理量（たとえば１０〜２０ｔｏｎ／時間、さらには１００ｔｏｎ／時間）を確保することができる。
【００９７】
以上の動作において、フィルタ６１の外周面には濁質が付着する。図３に示す構成によれば、モータ９０がフィルタ６１を回転させる。ノズル口６７から噴出した被処理水は、回転するフィルタ６１の外周面に当たる。被処理水の圧力および回転する水流によって、フィルタ６１の外周面には常に水流が生じる。これによってフィルタ６１に付着した濁質分が除去されやすい。すなわち、この実施の形態によれば、被処理水を濾過する効果に加えて、一定の洗浄効果も得ることができる。
【００９８】
図６は、図１に示した紫外線照射装置３の構成例を示した図である。図６を参照して、紫外線照射装置３は、ケース１４１と、ＵＶランプ１４２と、ランプ電源１４３と、照度センサ１４４ａ，１４４ｂ，１４４ｃとを備える。
【００９９】
ケース１４１は、ライン２２とライン２３との間に配置される。ケース１４１はＵＶランプ１４２を収容する。ライン２２，２３により、紫外線照射装置３の内部を被処理水が通過する。
【０１００】
ＵＶランプ１４２は、ケース１４１の内部を通過する被処理水に紫外線を照射する。ＵＶランプ１４２の点灯および消灯は、制御装置１１１または制御装置１１２によって制御される。
【０１０１】
照度センサ１４４ａ〜１４４ｃは、ＵＶランプ１４２から発せられて被処理水を透過した紫外線の照度を計測する。各照度センサによって検出された照度は、その照度センサから制御装置１１１へと送られる。制御装置１１１は、照度センサ１４４ａ〜１４４ｃの検出結果に基づいて、ＵＶランプ１４２の最大電力に対する割合を、ランプ電源１４３に対して指示する。ランプ電源１４３は、指示された割合に従う電力をＵＶランプ１４２に供給する。
【０１０２】
＜バラスト水管理システムの制御＞
１．動作モードの設定
上記のように、バラスト水管理システム１００の動作モードを設定する目的において、バラスト水管理システム１００の操作者は、制御装置１１１と制御装置１１２とのいずれも操作可能である。バラスト水管理システム１００の設定（および監視）を行なうための装置が１つしかない場合、操作者は、その制御装置の設置場所に移動しなければならない。船舶のような大きな建造物の場合、操作者が制御装置の設置場所に移動するための労力が大きくなる可能性がある。
【０１０３】
この実施の形態によれば、バラスト水管理システム１００は、操作者がバラスト水管理システム１００の動作モードの設定（および監視）を行なうための複数の制御装置を有する。この複数の制御装置を船舶に分散して配置することができる。これにより、操作者は、自身の近くに配置された制御装置を利用することができる。したがって操作者の利便性を高めることができる。
【０１０４】
一方、バラスト水管理システム１００の動作モードの設定が制御装置１１１，１１２のどちらでも可能である。このために、制御装置１１１のセレクトスイッチ１２３を「ローカル」と「リモート」との間で切換えた場合、動作モードの設定が変更されてしまう可能性がある。この実施の形態では、上記の問題を解決することができる。
【０１０５】
図７は、ローカルおよびリモートを選択するセレクトスイッチを操作した場合におけるバラスト水管理システムの状態を説明するための第１の図である。図７を参照して、ローカル側の制御装置（制御装置１１１）とリモート側の制御装置（制御装置１１２）との各々において動作モードがＢＷＭＳモードおよびＢＹＰＡＳＳモードのいずれかに設定される。制御装置１１１において、セレクトスイッチ１２３が「ローカル」から「リモート」へと切り換えられる。あるいは、セレクトスイッチ１２３が「リモート」から「ローカル」へと切り換えられる。
【０１０６】
制御装置１１１および制御装置１１２ともに動作モードが「ＢＷＭＳモード」あるいは「ＢＹＰＡＳＳ」モードに設定されているとする。セレクトスイッチ１２３を「ローカル」と「リモート」との間で切り換えた場合、後述するように、制御装置１１１と制御装置１１２とで処理モードの設定が一致している場合には、バラスト水管理システム１００の動作が継続される。
【０１０７】
一方、制御装置１１１および制御装置１１２のいずれか一方ではバラスト水管理システム１００の動作モードが「ＢＷＭＳモード」に設定され、他方ではバラスト水管理システム１００の動作モードが「ＢＹＰＡＳＳ」モードに設定されているとする。セレクトスイッチ１２３を「ローカル」と「リモート」との間で切り換えた場合、バラスト水管理システム１００が停止する。
【０１０８】
図８は、ローカルおよびリモートを選択するセレクトスイッチを操作した場合におけるバラスト水管理システムの状態を説明するための第２の図である。前提として、ローカル側の制御装置（制御装置１１１）とリモート側の制御装置（制御装置１１２）の両方において動作モードがＢＷＭＳモードまたはＢＹＰＡＳＳモードに設定されている。
【０１０９】
図８を参照して、制御装置１１１および制御装置１１２ともに処理モードが「Ｂａｌｌａｓｔｉｎｇモード」あるいは「Ｄｅ−Ｂａｌｌａｓｔｉｎｇモード」に設定されているとする。セレクトスイッチ１２３を「ローカル」と「リモート」との間で切り換えた場合には、バラスト水管理システム１００の動作が継続される。すなわち、設定された処理モード（「Ｂａｌｌａｓｔｉｎｇモード」あるいは「Ｄｅ−Ｂａｌｌａｓｔｉｎｇモード」）での処理が実行される。
【０１１０】
一方、制御装置１１１と制御装置１１２との間で処理モードの設定が異なっていたとする。このような場合、セレクトスイッチ１２３を「ローカル」と「リモート」との間で切り換えると、バラスト水管理システム１００が停止する。
【０１１１】
このような例の場合、制御装置１１１と制御装置１１２とでバラスト水処理装置１０１の動作モードの設定が異なっている。したがって制御装置１１１のセレクトスイッチ１２３を「ローカル」から「リモート」へと切り換えると、バラスト水処理装置１０１の動作モードが変更されることが考えられる。
【０１１２】
そこで、この実施の形態では、制御装置１１１のセレクトスイッチ１２３を「ローカル」と「リモート」との間で切り換えた場合、制御装置１１１と制御装置１１２との間でバラスト水管理システム１００の動作モードの設定が同じであれば、その動作モードでのバラスト水管理システム１００の動作が継続される。一方、制御装置１１１と制御装置１１２との間でバラスト水管理システム１００の動作モードの設定が異なっている場合、制御装置１１１のセレクトスイッチ１２３を「ローカル」と「リモート」との間で切り換えると、現在の処理が停止する。
【０１１３】
また、制御装置１１１と制御装置１１２とで、セレクトスイッチ１２４の設定が異なる場合にも、制御装置１１１のセレクトスイッチ１２３を「ローカル」と「リモート」との間で切り換えた際に、現在の処理が停止される。すなわち制御装置１１１と制御装置１１２とのうちの一方ではセレクトスイッチ１２４が「ＢＷＭＳモード」に設定され、他方ではセレクトスイッチ１２４が「ＢＹＰＡＳＳモード」に設定される。このような場合に、制御装置１１１のセレクトスイッチ１２３を「ローカル」と「リモート」との間で切り換えると、現在の処理が停止される。
【０１１４】
図９は、図８に示された制御の流れを示したフローチャートである。図９に示す処理は、たとえば所定の周期ごとに制御装置１１１によってメインルーチンから呼び出される。図９を参照して、ステップＳ１において、制御装置１１１は、「ローカル」と「リモート」との間でのセレクトスイッチ１２３の切換えが発生したかどうかを判定する。
【０１１５】
ステップＳ１において、セレクトスイッチ１２３の設定の切換えが発生した場合（ステップＳ１においてＹＥＳ）、処理はステップＳ２に進む。一方、セレクトスイッチ１２３の設定の切換えが発生していない場合（ステップＳ１においてＮＯ）、処理はメインルーチンに戻される。
【０１１６】
ステップＳ２において、制御装置１１１は、ローカル側（制御装置１１１）およびリモート側（制御装置１１２）ともにバラスト水管理システム１００の動作モードの設定が「ＢＷＭＳモード」であるか否かを判定する。たとえば、制御装置１１１は、制御装置１１１における、バラスト水管理システム１００の動作モードの設定を確認する。さらに制御装置１１１は、制御装置１１２から、制御装置１１２における、バラスト水管理システム１００の動作モードの設定に関する情報を取得する。
【０１１７】
ローカル側およびリモート側の少なくとも一方におけるバラスト水管理システム１００の動作モードの設定が「ＢＷＭＳモード」ではない場合（ステップＳ２においてＮＯ）、処理は、ステップＳ３に進む。ステップＳ３において、制御装置１１１は、ローカル側およびリモート側ともにバラスト水管理システム１００の動作モードの設定が「ＢＹＰＡＳＳモード」であるか否かを判定する。
【０１１８】
ローカル側およびリモート側の両方ともにバラスト水管理システム１００の動作モードの設定が「ＢＹＰＡＳＳモード」である場合（ステップＳ３においてＹＥＳ）、処理は、ステップＳ４に進む。また、ローカル側およびリモート側の両方ともにバラスト水管理システム１００の動作モードの設定が「ＢＷＭＳモード」である場合（ステップＳ２においてＹＥＳ）にも、処理はステップＳ４に進む。一方、ローカル側（制御装置１１１）およびリモート側（制御装置１１２）の一方におけるバラスト水管理システム１００の動作モードの設定が「ＢＹＰＡＳＳモード」ではない場合（ステップＳ３においてＮＯ）、処理は後述するステップＳ８へと進む。
【０１１９】
ステップＳ４において、制御装置１１１は、ローカル側およびリモート側ともにバラスト水管理システム１００の処理モードの設定が「Ｂａｌｌａｓｔｉｎｇモード」であるか否かを判定する。ローカル側およびリモート側ともにバラスト水管理システム１００の処理モードの設定が「Ｂａｌｌａｓｔｉｎｇモード」である場合（ステップＳ４においてＹＥＳ）、処理はステップＳ５に進む。ステップＳ５において、制御装置１１１は、バラスト水管理システム１００の処理を継続させる。すなわち、バラスト水管理システム１００はＢａｌｌａｓｔｉｎｇモードで動作する。
【０１２０】
一方、ローカル側およびリモート側の一方におけるバラスト水管理システム１００の処理モードの設定が「Ｂａｌｌａｓｔｉｎｇモード」とは異なる場合（ステップＳ４においてＮＯ）、処理はステップＳ６に進む。ステップＳ６において、制御装置１１１は、ローカル側およびリモート側ともにバラスト水管理システム１００の処理モードの設定が「Ｄｅ−Ｂａｌｌａｓｔｉｎｇモード」であるか否かを判定する。
【０１２１】
ローカル側およびリモート側ともにバラスト水管理システム１００の処理モードの設定が「Ｄｅ−Ｂａｌｌａｓｔｉｎｇモード」である場合（ステップＳ６においてＹＥＳ）、処理はステップＳ７に進む。ステップＳ７において、制御装置１１１は、バラスト水管理システム１００の処理を継続させる。すなわち、バラスト水管理システム１００はＤｅ−Ｂａｌｌａｓｔｉｎｇモードで動作する。
【０１２２】
ステップＳ３においてＮＯの場合、および、ステップＳ６においてＮＯの場合、処理はステップＳ８に進む。ステップＳ３においてＮＯの場合とは、バラスト水管理システム１００の動作モードの設定が、ローカル側およびリモート側の一方において「ＢＷＭＳモード」であり、他方において「ＢＹＰＡＳＳモード」である場合に対応する。また、ステップＳ６においてＮＯの場合とは、バラスト水管理システム１００の処理モードの設定が、ローカル側およびリモート側の一方において「Ｂａｌｌａｓｔｉｎｇモード」であり、他方において「Ｄｅ−Ｂａｌｌａｓｔｉｎｇモード」である場合に対応する。ステップＳ８において、制御装置１１１は、バラスト水管理システム１００の処理を停止させる。
【０１２３】
上記の制御によって、バラスト水管理システム１００を正しいモードで動作させることができる。「正しいモード」とは、操作者の意図する動作モードおよび処理モードである。したがって、バラスト水管理システム１００のモードが操作者の意図しないモードへと変更されることを防ぐことができる。
【０１２４】
図１０は、バラスト水処理装置１０１の動作の流れを説明するためのフローチャートである。図１０を参照して、ステップＳ１１において、バラスト水処理装置１０１は起動指示を受付ける。具体的には、操作者は、制御装置１１１または制御装置１１２を操作する。これにより、制御装置１１１は、操作者からの起動指示を直接に、あるいは制御装置１１２を介して受付ける。
【０１２５】
ステップＳ１２において、制御装置１１１は、セレクトスイッチ１２３の設定を確認して、ローカル（制御装置１１１）およびリモート（制御装置１１２）のいずれの指令が有効であるかを判断する。
【０１２６】
ステップＳ１３において、制御装置１１１は、バラスト水処理装置１０１の処理モードの設定がＢａｌｌａｓｔｉｎｇモードおよびＤｅ−Ｂａｌｌａｓｔｉｎｇモードのいずれであるかを判断する。セレクトスイッチ１２３の設定がローカルである場合には、制御装置１１１は、セレクトスイッチ１２５の設定に基づいて処理モードを判断する。セレクトスイッチ１２３の設定がリモートである場合には、制御装置１１１は、制御装置１１２からの指令に基づいて処理モードを判断する。
【０１２７】
バラスト水処理装置１０１の処理モードの設定がＢａｌｌａｓｔｉｎｇモードである場合、処理はステップＳ１４に進む。ステップＳ１４において、制御装置１１１は、バラスト水処理装置１０１に漲水処理、すなわち海域から海水を取得して、バラストタンク５に海水を供給する処理を実行させる。一方、バラスト水処理装置１０１の処理モードの設定がＤｅ−Ｂａｌｌａｓｔｉｎｇモードである場合、処理はステップＳ１５に進む。ステップＳ１５において、制御装置１１１は、バラスト水処理装置１０１に対して排水処理、すなわちバラストタンク５に貯留された海水を海域に排出する処理を実行させる。
【０１２８】
なお、バラスト水処理装置１０１が漲水処理を実行しているとき（ステップＳ１４)、または、バラスト水処理装置１０１が排水処理を実行しているときに（ステップＳ１５）、セレクトスイッチ１２４または１２５の設定が切り換えられた場合には、制御装置１１１は、現在の処理を停止させる。
【０１２９】
２．Ｂａｌｌａｓｔｉｎｇモード
図１１は、本発明の実施の形態に係る、バラスト水の取水時の処理を説明するフローチャートである。図１および図１１を参照して、ステップＳ１０１において、バラスト水処理装置１０１は、濾過装置２に設けられたモータ９０を駆動する。これによってフィルタ６１が回転する。
【０１３０】
ステップＳ１０２において、制御装置１１１は、紫外線照射装置３のＵＶランプ１４２を点灯させる。この実施の形態では、後に詳細に説明するように、ＵＶランプ１４２の立上げ時（点灯開始時）には、紫外線照射装置３に海水が通されない。また、ライン２２における被処理水の流れも停止している。なお、紫外線照射装置３の内部は、既に浄化された海水あるいは清水（たとえば水道水）で満たされている。さらに、ＵＶランプ１４２の立上げ時に、ＵＶランプの表面を清掃する処理が実行されてもよい。
【０１３１】
ステップＳ１０３において、制御装置１１１は、バラストポンプＢＰを作動させる。これによって、濾過装置２に海水が導入される。さらに、濾過装置２のフィルタが、濾過装置２に導入される海水によって洗浄される。この洗浄はフィルタによる濾過とは異なるため、本明細書では「無濾過洗浄」と呼ぶ。洗浄後の海水は、ライン２３，２４およびオーバーボード６を通じて海に排出される。
【０１３２】
ステップＳ１０４において、ＵＶランプ１４２の立上げ（点灯処理）が完了するとバラストタンク５への注水が行なわれる。この場合、被処理水は、濾過装置２によって濾過され、さらに、紫外線照射装置３からの紫外線を受けて、バラストタンク５へと送られる。
【０１３３】
ステップＳ１０５において、バラストタンク５へのバラスト水の供給が停止される。たとえば操作者が制御装置１１１のプッシュボタン１２６を押すことによってバラストタンク５へのバラスト水の供給が停止される。バラストタンク５へのバラスト水の供給が停止されると、紫外線照射装置３においてＵＶランプ１４２が立下げられる（消灯される）。さらに、濾過装置２において、上記の無濾過洗浄が行なわれる。
【０１３４】
ステップＳ１０６において、逆洗浄装置２Ａによって、フィルタ６１を逆洗浄する。ステップＳ１０６の処理が終了すると、全体の処理が終了する。
【０１３５】
図１２は、図１１のステップＳ１０１〜Ｓ１０３の処理を説明するための図である。図１２を参照して、バルブＷ１〜Ｗ１１およびバルブ４１〜４４が閉じた状態にある。まず、制御装置１１１は、バルブ４１，４２を開状態にする。次に、制御装置１１１は、濾過装置２のモータ９０の駆動を開始してフィルタ６１を回転させる。
【０１３６】
さらに、制御装置１１１は、紫外線照射装置３のＵＶランプ１４２の点灯を開始する。制御装置１１１は、バルブＷ２，Ｗ５をともに閉状態に設定する。したがって、紫外線照射装置３の中は清水で満たされている。また、バラストポンプＢＰが停止しているため、ライン２２には被処理水が流れない。したがって、紫外線照射装置３には被処理水が通過しない。すなわち、この実施の形態では、紫外線照射装置３のケース１４１の内部に水が滞留した状態でＵＶランプ１４２の点灯が開始される。
【０１３７】
ＵＶランプ１４２の点灯時にＵＶランプ１４２が発熱する。ＵＶランプ１４２の過熱を防ぐために、紫外線照射装置３のケース１４１の内部に水を通過させてＵＶランプ１４２を冷却することが考えられる。ＵＶランプ１４２を冷却するための水を循環させる経路を形成した場合には、バラスト水処理装置１０１の構成が複雑化する。この実施の形態によれば、紫外線照射装置３のケース１４１の内部に水が滞留した状態でＵＶランプ１４２の点灯が開始される。したがって、ＵＶランプ１４２を冷却するための水を循環させるための経路が不要となる。この結果、バラスト水処理装置１０１の構成を簡素化することができる。
【０１３８】
ＵＶランプ１４２が水中に存在するように、ケース１４１の内部には十分な量の水が蓄えられる。ＵＶランプ１４２の点灯時に発生する熱は、紫外線照射装置３のケース１４１の内部の水に伝達される。これによってＵＶランプ１４２の過熱を防ぐことができる。したがって、ケース１４１の内部に蓄えられた水が少ない場合には、ＵＶランプ１４２において発生する熱をＵＶランプ１４２から奪う効果を十分に得ることができない。
【０１３９】
このような問題を防ぐために、圧力計Ｐ３，Ｐ４によって水圧が計測される。制御装置１１１は、圧力計Ｐ３，Ｐ４によって計測される水圧を監視する。圧力計Ｐ３，Ｐ４によって計測される圧力は、紫外線照射装置３（ケース１４１）の内部に蓄えられた水の量を反映する。すなわち、紫外線照射装置３の内部に蓄えられた水の量が小さくなるにつれて、圧力計Ｐ３によって計測される水圧よりも、圧力計Ｐ４によって計測される水圧が低くなる。
【０１４０】
制御装置１１１は、圧力計Ｐ３，Ｐ４によって計測された水圧の差を演算し、その演算値が予め規定された正常範囲内にある場合に、ＵＶランプ１４２の点灯を開始する。一方、制御装置１１１は、圧力計Ｐ３，Ｐ４によって計測された水圧の差の演算値が上記の正常範囲を外れた場合（正常範囲の下限を下回る場合）には、アラームを発生させる。アラームを発生させる方法は特に限定されるものではない。たとえば、制御装置１１１は、ランプを点灯させる、あるいはブザーを鳴らすという方法を用いて、アラームを発生させることができる。
【０１４１】
また、圧力計Ｐ３，Ｐ４によって計測された水圧に基づく演算値は、圧力計Ｐ３，Ｐ４によって計測された水圧の差に限定されるものではなく、たとえば、圧力計Ｐ３によって計測された水圧に対する圧力計Ｐ４によって計測された水圧の比率であってもよい。このようにして制御装置１１１は、圧力計Ｐ３，Ｐ４によって計測される水圧に基づく演算値について予め正常範囲を規定しておき、演算値と正常範囲との比較結果に基づいてＵＶランプ１４２を点灯させる。
【０１４２】
続いて制御装置１１１は、バルブＷ１を開くとともにバラストポンプＢＰを始動する。１つの実施形態では、バラストポンプＢＰの始動方法として、公知のスターデルタ始動法が採用される。スターデルタ始動法によれば、ポンプを駆動する三相モータの各相の固定子巻線が、三相モータの始動時にスター結線される。一方、三相モータが回転加速すると、各相の固定子巻線の結線が、スター結線からデルタ結線に変更される。
【０１４３】
さらに制御装置１１１は、バルブＷ３を開く。制御装置１１１は、流量計ＦＭ２によって計測される流量を監視して、バルブＷ３の開度を制御する。たとえばライン２４を流れる海水の流量が３００ｍ３／ｈとなるように、バルブＷ３の開度が制御される。
【０１４４】
濾過装置２では、ライン２０，２１を通じて海水が導入されて、フィルタ６１の無濾過洗浄が行なわれる。フィルタ６１を洗浄した後の海水は、ライン２３，２４およびオーバーボード６を通じて海に排出される。
【０１４５】
このように本実施の形態では、ＵＶランプ１４２の立ち上げ中に、濾過装置２に導入される海水（被処理水）を用いてフィルタ６１を洗浄する。バラストタンク５にバラスト水を供給するのに先立って、フィルタ６１が洗浄されるので、バラスト水の処理能力が低下するという問題を防ぐことができる。また、ＵＶランプ１４２の立ち上げの完了後に直ちにバラストタンク５にバラスト水を供給することができる。なお、フィルタ６１の円筒上下面が水密に塞がれていることを確保する（濾過装置２の空運転を防ぐ）ために、圧力計Ｐ１，Ｐ２によって濾過装置２の水圧が計測される。さらに制御装置１１１は、圧力計Ｐ１，Ｐ２によって計測される水圧を監視する。
【０１４６】
図１３は、図１１のステップＳ１０４の処理を説明するための図である。図１３を参照して、制御装置１１１は、ＵＶランプ１４２の立上げが完了したことを判断する。１つの実施形態では、制御装置１１１は照度センサ１４４ａ〜１４４ｃ（図６を参照）によって計測された照度を監視する。計測された照度が最大値に達すると、制御装置１１１はＵＶランプ１４２の立上げが完了したと判断するとともに、バルブＷ２を開く。図３を参照して既に説明したように、濾過装置２に導入された海水（被処理水）は、フィルタ６１の外周面からフィルタ６１の内周面へ透過することで濾過される。濾過された被処理水は、中心配管８０に設けられた取水穴８１を通して濾過水流路６４に導かれて、ライン２２を通じて紫外線照射装置３へと送られる。
【０１４７】
制御装置１１１は、バルブＷ２を開くとともにバルブＷ５を開く。これにより、濾過装置２からの被処理水は、ライン２２を通じて、紫外線照射装置３のケース１４１に導入される。紫外線照射装置３では、ＵＶランプ１４２が被処理水に紫外線を照射する。紫外線が照射された後の被処理水は、ライン２６、ライン１３およびライン１４を流れて、バラストタンク５に供給される。
【０１４８】
ＵＶランプ１４２の照度が最大値に達した直後に、紫外線照射装置３による被処理水の処理を開始することができる。したがって、バラスト水処理装置１０１の起動時間を短縮することができる。
【０１４９】
制御装置１１１は、バルブＷ５，Ｗ３の開度を制御することにより、濾過装置２、第１の経路（ライン２２）、紫外線照射装置３および第２の経路（ライン２６）を流れる被処理水の流量と、濾過装置２からの排水経路（ライン２３）を流れる被処理水の流量とを制御する。具体例を挙げて説明すると、バルブＷ５を開く前において、ライン２４を流れる海水の流量が３００ｍ３／ｈである。制御装置１１１は、ライン２６を流れる海水の流量が２５０ｍ３／ｈとなり、ライン２４を流れる海水の流量が５０ｍ３／ｈとなるようにバルブＷ５，Ｗ３の開度を設定する。なお、これらの数値は一例であって、本実施の形態はこれらの数値によって限定されない。
【０１５０】
すなわち、本発明の実施の形態では、濾過装置２から排出される被処理水の流量が、第２の経路（ライン２６）に設けられたバルブＷ５の開度によって制御される。バラストポンプＢＰから送り出された海水は、漲水経路、すなわち濾過装置２から第１の経路（ライン２２）、紫外線照射装置３、および第２の経路（ライン２６）を通る。海水の流量を制御するためのバルブは、紫外線照射装置３の出口側（ライン２６）に設けられている。このため、漲水経路を海水が通る間の、海水の圧力の低下量を小さくすることができる。さらに、ライン２３に排水ポンプを設置しなくても、濾過装置２からライン２３を通じて排水することができる。これによって、ライン２３に排水ポンプを設置しなくてもよくなる。
【０１５１】
図１４は、図１１のステップＳ１０５の処理を説明するための図である。図１４を参照して、バラストタンク５へのバラスト水の供給が完了すると、制御装置１１１は、濾過装置２のフィルタ６１の逆洗浄のための処理を開始する。具体的には、制御装置１１１は、バルブＷ１１およびバルブＷ６を開く。濾過装置２によって濾過された海水の一部がライン２２からライン３１を通り、逆洗浄装置２Ａの洗浄水タンク６８に導入される。濾過された海水が洗浄水タンク６８に導入された後（たとえばバルブＷ６が開いてから一定の時間が経過した後）、制御装置１１１は、バルブＷ６を閉じ、さらにバルブＷ１１を閉じる。なお、洗浄水タンク６８の水位が既に所定のレベルに達している場合には、濾過された海水を洗浄水タンク６８に導入するための処理を省略することができる。
【０１５２】
次に、ＵＶランプ１４２が立下げられる（消灯する）とともに、濾過装置２のフィルタ６１の無濾過洗浄が行なわれる。制御装置１１１は、バルブＷ２，Ｗ５を閉じるとともに、バルブＷ３の開度を制御する。たとえばライン２４を流れる海水の流量が５０ｍ３／ｈから３００ｍ３／ｈとなるように、バルブＷ３の開度が制御される。一方、ライン２６を流れる海水の流量が２５０ｍ３／ｈから０ｍ３／ｈとなるようにバルブＷ５の開度が制御される。
【０１５３】
濁質がフィルタ６１に付着したままの状態で船舶が移動すると、船舶の寄港地においてフィルタ６１に付着した濁質が洗浄されて、船舶の寄港地の海域に排出されることが起こり得る。その濁質の中に含まれる微生物が、船舶の寄港地の海域の生態系に影響を及ぼすことも考えられる。バラストタンク５にバラスト水を供給した後にフィルタ６１を洗浄することによって、濁質がフィルタ６１に付着したままの状態で船舶が移動することを防ぐことができる。
【０１５４】
ＵＶランプ１４２の立上げ時と同じく、ＵＶランプ１４２の立下げ時には、紫外線照射装置３のケース１４１の内部を水が通過しない。すなわち、ケース１４１の内部に水が滞留している。ＵＶランプ１４２の立下げ時にもＵＶランプ１４２を冷却するための水を循環させないので、ＵＶランプ１４２を冷却するための水を循環させる経路が不要となる。したがってバラスト水処理装置１０１の構成を簡素化することができる。
【０１５５】
図１５は、図１１のステップＳ１０６の処理（逆洗浄）を説明するための第１の図である。図１５を参照して、制御装置１１１は、バルブＷ９，Ｗ６を開状態に設定し、他のバルブを閉状態に設定する。濾過装置２のケース６３（図３を参照）と、洗浄水タンク６８とがライン２２で連結され、かつ他の流路の全てが閉じられた状態となる。圧縮空気供給部３２からライン２８を通じて洗浄水タンク６８に圧縮空気を供給する。たとえば０．４ＭＰａ〜０．５ＭＰａ程度に洗浄水が加圧される。これにより濾過装置２のケース６３、ライン２２および洗浄水タンク６８の全体の内部が加圧された状態に保持される。
【０１５６】
図１６は、図１１のステップＳ１０６の処理（逆洗浄）を説明するための第２の図である。図１６を参照して、制御装置１１１は、バルブＷ７を開放する。すると、洗浄水が洗浄水タンク６８からライン２２を通り、フィルタ６１を透過する。この先浄水は、濾過装置２のケース６３（図３を参照）から濾過装置２の外部へと一気に排出される。すなわちフィルタ６１に対して、濾過するときの水の流れの向きとは逆の向きに、洗浄水が短時間に流れる。洗浄水は、濾過水流路６４を流れて、中心配管８０の取水穴８１から噴出する。この洗浄水は、フィルタ６１の内周面からフィルタ６１の外周面に向けてフィルタ６１を通過する。これにより、フィルタ６１の外周面に付着等していた物質がフィルタ６１の外周面から剥がされてフィルタ６１が洗浄される。その後、洗浄水は、ライン２３，２５，２４を通り、オーバーボード６から海へと排出される。
【０１５７】
図１７は、図１１のステップＳ１０６の処理（逆洗浄）を説明するための第３の図である。図１７を参照して、制御装置１１１は、バルブＷ１０，Ｗ１１をともに開状態に設定する。洗浄水タンク６８の水位が所定レベルに達するまで、清水供給部３３からライン３０を介して、洗浄水タンク６８に清水が供給される。
【０１５８】
なお、図１５〜図１７によって説明される逆洗浄処理は１回のみ実行されてもよく、繰り返して実行されてもよい。繰り返しの回数は特に限定されるものではない。
【０１５９】
また、洗浄動作においてモータ９０は停止してもよい。ただしフィルタ６１を回転させた状態でフィルタ６１の逆洗浄を行なうことで、より高い洗浄効果が得られるため好ましい。これは円筒状かつプリーツ状のフィルタ６１の外周面に付着した物質に、円筒内部からの洗浄水の圧力に加えて、円筒の回転による遠心力が印加されるため、濾過物が一層除去されやすくなるためである。このように、回転状態でフィルタ６１の逆洗浄を行なうことで、フィルタ６１を効果的に洗浄することができる。さらには、回転にフィルタ６１全体の振動が加わっても、フィルタ６１の洗浄効果が高まることが期待できる。
【０１６０】
３．ＢＷＭＳモードでの処理（Ｄｅ−Ｂａｌｌａｓｔｉｎｇモード）
図１８は、本発明の実施の形態に係る、バラスト水の排水時の処理を説明するフローチャートである。図１および図１８を参照して、ステップＳ２０１において、バラスト水処理装置１０１は、紫外線照射装置３のＵＶランプ１４２を点灯させる。すなわちバラストタンク５から被処理水を取出して紫外線照射装置３に供給するのに先立ってＵＶランプ１４２が点灯される。
【０１６１】
Ｂａｌｌａｓｔｉｎｇモードでの処理と同様に、ＵＶランプ１４２の立上げ時には紫外線照射装置３に海水が通されない。具体的には、制御装置１１１は、バルブＷ４とバルブＷ５とを閉状態に設定する。さらに、制御装置１１１はバラストポンプＢＰを停止させる。これによりライン２７には被処理水の流れが発生しない。この方法によれば、ＵＶランプ１４２を冷却するための水を循環させる経路が不要となる。したがって、バラスト水処理装置の構成をより簡素にすることができる。
【０１６２】
ステップＳ２０２において、バラストポンプＢＰの作動が開始される。ステップＳ２０３において、バラストタンク５からの排水が実行される。
【０１６３】
上記のように、バラスト水の取水時に、微生物の殺滅のためにバラスト水に紫外線が照射される。しかし、バラスト水の取水時に、水中の微生物を完全に殺滅できていない可能性も考えられる。この実施の形態では、一旦、バラスト水に紫外線を照射してからバラスト水を海に排出する。これにより、海に排出されるバラスト水が海域の生態系に影響を与えることを防ぐ効果がより高められる。
【０１６４】
なお、取水時に、被処理水に濾過処理が施されることで、被処理水から大きな異物は取り除かれている。したがってこの実施の形態では、バラスト水の排水時には濾過処理は省略される。
【０１６５】
ステップＳ２０４において、バラスト水処理装置１０１は、立下げ処理を実行する。ステップＳ２０５において、バラスト水処理装置１０１が停止する。これにより処理が終了する。
【０１６６】
図１９は、図１８のステップＳ２０２〜Ｓ２０４の処理を説明するための図である。図１９を参照して、紫外線照射装置３においてＵＶランプ１４２の立上げが完了する。制御装置１１１は、バルブ４３，４４およびバルブＷ４，Ｗ５を開状態に設定して、バラストポンプＢＰの駆動を開始する（ステップＳ２０２）。
【０１６７】
バラストタンク５に貯留されたバラスト水は、ライン１６、ライン１１、ライン１２、ライン２０、ライン２７、ライン２２、ライン２６、ライン１３およびライン１５を通り、オーバーボード６から海へと排出される。
【０１６８】
バラストポンプＢＰの駆動開始から所定の期間（たとえば数秒間）は、排出されるバラスト水の流量が第１の流量に制御される。その所定の期間が経過すると、排出されるバラスト水の流量が第２の流量に制御される。第２の流量は第１の流量よりも大きい。バラスト水の流量は、バルブＷ５の開度によって制御される（バルブＷ４は完全に開いている）。代わりに、バラスト水の流量は、バルブＷ４の開度によって制御されてもよい（バルブＷ５は完全に開いている）。あるいは、バラスト水の流量は、バルブＷ４，Ｗ５の両方の開度によって制御されてもよい。いずれの場合にしても、制御装置１１１は、バルブＷ４，Ｗ５の開度を制御して、紫外線照射装置３のケース１４１を通過する被処理水の流量が第１の流量となるようにバルブＷ４，Ｗ５を開く。次に、制御装置１１１は、紫外線照射装置３のケース１４１を通過する被処理水の流量が、その第１の流量よりも大きい第２の流量となるようにバルブＷ４，Ｗ５を制御する。
【０１６９】
バラストポンプＢＰの駆動開始時の排水量が大きすぎると、ウォーターハンマー（水撃作用）が発生する可能性がある。ウォーターハンマーによって、たとえばＵＶランプ１４２が損傷する可能性が考えられる。
【０１７０】
上述のように、バラストポンプＢＰは、たとえばスターデルタ始動法に従って始動される。スターデルタ始動法においては、たとえばバラストポンプＢＰの始動開始直後は、バラストポンプＢＰの吐出量は小さい（たとえばバラストポンプＢＰの能力の３０％）ものの、ある時点において、吐出量がバラストポンプＢＰの能力の１００％へと急激に変化する。したがって、バラスト水の流量が急激に変化しやすい。
【０１７１】
この実施の形態では、バラストタンク５からの排水時には海水が濾過装置２のフィルタ６１を通らずに、バラストポンプＢＰから紫外線照射装置３へと送られる。紫外線照射装置３は、バラストポンプＢＰの吐出量の急激な上昇にともなう海水の流量の変化の影響を受けやすい。すなわち紫外線照射装置３は、ウォーターハンマーの影響を受けやすい。この実施の形態では、バラストポンプＢＰの駆動開始から所定の期間（たとえば数秒間）に排出されるバラスト水の流量を低く設定することによって、ウォータハンマーの可能性を小さくすることができる。
【０１７２】
上述のように、制御装置１１１は、たとえばバルブＷ５の開度を制御することでライン２６におけるバラスト水の流量を制限する。たとえば、バラストポンプＢＰの能力の１００％に対応する吐出量が３００ｍ３／ｈである場合、ライン２６におけるバラスト水の流量が１００ｍ３／ｈとなるようにバルブＷ５の開度が制御される。なお、これらの数値は一例であって、本発明はこれらの数値によって限定されるものではない。
【０１７３】
次に、制御装置１１１は、バルブＷ５の開度を大きくする。たとえばステップＳ２０３において、制御装置１１１は、ライン２６におけるバラスト水の流量を２５０ｍ３／ｈに設定する。
【０１７４】
続いて、ＵＶランプ１４２の立下げ処理について説明する。制御装置１１１は、ライン２６に低流量でバラスト水が流れるようにバルブＷ５の開度を制御する。したがって、ステップＳ２０４においては、バルブＷ５は完全には閉じられていない。たとえばライン２６におけるバラスト水の流量が２５０ｍ３／ｈから１００ｍ３／ｈへと減少するようにバルブＷ５の開度が制御される。
【０１７５】
バラスト水の流れを急に停止させる（流量を２５０ｍ３／ｈから０ｍ３／ｈへと不連続に変化させる）と、上述のウォーターハンマーの問題が生じる可能性が高くなる。したがって、制御装置１１１は、一旦、バラスト水の流量を低くし、その後にバルブＷ５を停止させる、および／またはバラストポンプＢＰを停止させる。さらに、制御装置１１１は、紫外線照射装置３のＵＶランプ１４２を消灯させる。これにより、バラスト水処理装置１０１が完全に停止する（ステップＳ２０６）。
【０１７６】
なお、その後に濾過装置２および紫外線照射装置３の各々の内部に貯留されているバラスト水を清水に置換する。この置換処理は自動で行なわれてもよく、手動で行なわれてもよい。
【０１７７】
上記の実施の形態では、ライン２６の流量について、０ｍ３／ｈと最大流量（２５０ｍ３／ｈ）との間に１段階の流量（１００ｍ３／ｈ）が設定されている。しかし、ライン２６の流量の変化量を小さくするために、０と最大流量（２５０ｍ３／ｈ）との間に複数段階の流量が設定されてもよい。ライン２６の流量の変化量を小さくすることによって、ウォーターハンマーの問題が生じる可能性をより小さくすることができる。
【０１７８】
さらに、バラストポンプＢＰの始動法はスターデルタ始動法に限定されない。図２０に示すように、バラストポンプＢＰをインバータ５１によって駆動してもよい。この場合には、バルブＷ５を完全に開いていても、バラストポンプＢＰの吐出量を連続的に変化させることで、ライン２６におけるバラスト水の流量を連続的に変化させることができる。また、ライン２６におけるバラスト水の流量を変化させるために、バラストポンプＢＰの吐出量の変化とバルブＷ５の開度の変化とを組み合わせてもよい。これらの方法によっても、ウォーターハンマーの問題が生じる可能性をより小さくすることができる。したがってＵＶランプ１４２の保護にとって有利となる。
【０１７９】
４．バイパスモードでの処理（バラスト水の取水）
バイパスモードでは、バラスト水処理装置１０１を経由せずにバラスト水の取水および排出が行なわれる。図２１は、バイパスモードでのバラスト水の取水を説明するための図である。図２１を参照して、制御装置１１１は、バルブ４１、バルブＷ８およびバルブ４２を開状態に設定し、他のバルブを閉状態に設定する。さらに制御装置１１１はバラストポンプＢＰを駆動させる。
【０１８０】
海水はライン１０，１１を通り、バラストポンプＢＰによって汲み上げられる。バラストポンプＢＰから吐出された海水は、ライン１２，１３，１４を通り、バラストタンク５に送られる。
【０１８１】
５．バイパスモードでの処理（バラスト水の排水）
図２２は、バイパスモードでのバラスト水の排水を説明するための図である。図２２を参照して、制御装置１１１は、バルブ４３，４４を開状態に設定し、他のバルブを閉状態に設定する。さらに制御装置１１１はバラストポンプＢＰを駆動させる。
【０１８２】
海水はバラストタンク５からライン１４、ライン１６、ライン１１、ライン１２、ライン１３およびライン１５をこの順に通り、オーバーボード６から海へと排出される。
【０１８３】
なお、上記の実施の形態では、濾過装置２のフィルタ６１の洗浄方法として、無濾過洗浄および逆洗浄装置２Ａによる逆洗浄を開示した。これらの方法に加えて、薬液を用いてフィルタ６１の洗浄を行なう方法を採用してもよい。図３に示されるように、ケース６３の蓋部には、薬液注入口７０が設けられている。フィルタ６１の逆洗浄を行なうことで、濾過装置２を長期間にわたり運転することができる。しかしながら、このような機械的な洗浄では落とすことができずにフィルタ６１の表面に徐々に堆積してゆく物質があり得る。薬液による洗浄を併用することで、フィルタ６１の寿命を延ばすことができる。
【０１８４】
このような薬液注入口を用いて、次の手順で薬液洗浄を行うことができる。まず、濾過運転および逆洗浄の動作を停止する。なお、フィルタ６１は停止してもよく、回転状態でもよい。ケース６３の内部を、被処理水または濾過水が残留し、フィルタ６１が水に浸漬された状態に保持する。この状態で、薬液注入口７０から洗浄用の薬液を注入する。
【０１８５】
フィルタ６１が既に回転状態にある場合はそのまま回転状態を維持する。一方、フィルタ６１が停止状態にある場合は、モータ９０を回転させることで、フィルタ６１を回転状態とする。回転するフィルタ６１の全体に薬液が拡がり、フィルタ６１の外周面が十分洗浄されるまで、この状態を一定時間保持する。その後、バルブＷ３を開いて、ケース６３の内部の水（薬液を含む）を排水する。なお、使用する薬液に応じて、排水の前に中和液をさらに注入したり、排水後に中和等の処理を行なったりしてもよい。
【０１８６】
また、上記の実施の形態では、バラスト水処理装置１０１は、逆洗浄装置２Ａを備える。しかし、逆洗浄装置２Ａがバラスト水処理装置１０１に必須の構成である必要はない。上記の実施の形態に示された構成から逆洗浄装置２Ａを省略してもよい。
【０１８７】
今回開示された実施の形態はすべての点で例示であって制限的なものでないと考えられるべきである。本発明の範囲は上記した説明ではなくて特許請求の範囲によって示され、特許請求の範囲と均等の意味および範囲内でのすべての変更が含まれることが意図される。
【符号の説明】
【０１８８】
１  シーチェスト、２  濾過装置、２Ａ  逆洗浄装置、３  紫外線照射装置、５  バラストタンク、６  オーバーボード、１０〜１６，２０〜３１  ライン、３２  圧縮空気供給部、３３  清水供給部、４１〜４４，Ｗ１〜Ｗ１１  バルブ、５１  インバータ、６１  フィルタ、６２  被処理水ノズル、６３，１４１  ケース、６４  濾過水流路、６５  排出流路、６６  被処理水流路、６７  ノズル口、６８  洗浄水タンク、７０  薬液注入口、７１  外筒部、７２  蓋部、７３  底部、８０  中心配管、８１  取水穴、９０  モータ、９１  モータカバー、１００  バラスト水管理システム、１０１  バラスト水処理装置、１０２  バイパスシステム、１１１，１１２  制御装置、１２０  ランプ群、１２０ａ〜１２０ｅ  ランプ、１２２，１２６〜１３０  プッシュボタン、１２３〜１２５  セレクトスイッチ、１４２  ＵＶランプ、１４３  ランプ電源、１４４ａ〜１４４ｃ  照度センサ、ＢＰ  バラストポンプ、Ｃ  軸線、ＦＭ１，ＦＭ２  流量計、Ｐ１〜Ｐ４，ＰＳ  圧力計。
【図１】
2015009569.tif 000003
【図２】
2015009569.tif 000004
【図３】
2015009569.tif 000005
【図４】
2015009569.tif 000006
【図５】
2015009569.tif 000007
【図６】
2015009569.tif 000008
【図７】
2015009569.tif 000009
【図８】
2015009569.tif 000010
【図９】
2015009569.tif 000011
【図１０】
2015009569.tif 000012
【図１１】
2015009569.tif 000013
【図１２】
2015009569.tif 000014
【図１３】
2015009569.tif 000015
【図１４】
2015009569.tif 000016
【図１５】
2015009569.tif 000017
【図１６】
2015009569.tif 000018
【図１７】
2015009569.tif 000019
【図１８】
2015009569.tif 000020
【図１９】
2015009569.tif 000021
【図２０】
2015009569.tif 000022
【図２１】
2015009569.tif 000023
【図２２】
2015009569.tif 000024